(57)【要約】【課題】施工性を向上させたモジュラジャックを提供する。【解決手段】モジュラジャックＡのハウジングはボディ１０とカバー２０とを結合して形成され、ハウジングの内部にはジャックブロック３０が収納されている。ジャックブロック３０の後部はボディ１０の配線口１４から外部に露出し、配線口１４から露出する部位には上方に突出する突台３３が左右両側に設けてある。各突台３３には上面側が開放されて左右方向に延びるスリット３４が前後方向に４個ずつ形成され、各スリット３４内には圧接形の端子片が配設されている。また、ボディ本体１３の左右両側面には夫々側方に突出する平板状のリブ１５，１６を突設してあり、電線を圧接する際に各スリット３４内に配列した電線の先端を下側に曲げて、リブ１５，１６の溝１５ａ，１６ａ内に通し、さらにその先端を後側に曲げてリブ１５，１６に引っ掛けることで電線を保持させている。【選択図】　　　図１
2004055303.tif 000002
【特許請求の範囲】
【請求項１】
埋込型の配線器具用に規格化された取付枠に取着される配線器具の単位寸法の形状に形成されて取付枠に取り付けるための取付部を具備し、モジュラプラグが挿入されるプラグ挿入口が前面に開口するハウジングと、プラグ挿入口を通してハウジング内部に挿入されるモジュラプラグの複数の接触子とそれぞれ接触する複数のコンタクトと、各コンタクトに電気的に接続される複数の端子片とを備え、各端子片は、先端縁が開放されていて被覆電線を圧入することによって絶縁被覆を破って被覆電線の内部導体を挟み込む圧接スリットを有し、ハウジングに、各被覆電線を端子片に圧接する位置に仮保持した状態で各被覆電線の圧接位置よりも先端側の部位を引っ掛けることによって各被覆電線を保持するリブを突設したことを特徴とするモジュラジャック。
【請求項２】
埋込型の配線器具用に規格化された取付枠に取着される配線器具の単位寸法の形状に形成されて取付枠に取り付けるための取付部を具備し、モジュラプラグが挿入されるプラグ挿入口が前面に開口するハウジングと、ハウジングの内部に配置されプラグ挿入口を通して挿入されるモジュラプラグが着脱自在に接続されるジャックブロックとを備え、ジャックブロックは、プラグ挿入口を通してハウジング内部に挿入されるモジュラプラグの複数の接触子とそれぞれ接触する複数のコンタクトと、各コンタクトに電気的に接続される複数の端子片とを基台に保持して形成され、各端子片は、先端縁が開放されていて被覆電線を圧入することによって絶縁被覆を破って被覆電線の内部導体を挟み込む圧接スリットを有しており、基台に形成され少なくとも一方の端が基台の側面に開口した複数の保持溝に各端子片を配置してあり、各端子片に圧接された被覆電線の圧接部位よりも先端側の余分な部位を工具で切断する作業を行う作業空間内で、基台の側面とハウジングの側面とが略同一平面内に配置されるように基台及びハウジングを形成したことを特徴とするモジュラジャック。
【発明の詳細な説明】
【０００１】
【発明の属する技術分野】
本発明は、主として情報通信の分野で使用されるモジュラジャックに関するものである。
【０００２】
【従来の技術】
この種のモジュラジャックとしては、図７（ａ）〜（ｃ）に示すような構造を有するものが従来より提供されている。このモジュラジャックＡのハウジングはボディ１０とカバー２０とを結合して形成され、ハウジングの内部にはカバー２０のプラグ挿入口２３を通して挿入されるモジュラプラグが着脱自在に接続されるジャックブロック３０が収納されている。
【０００３】
ジャックブロック３０の内部には８本の導電体が保持されており、各導電体の一端部にはモジュラプラグの接触子と弾接する線状のコンタクト３２が形成されている。また、ジャックブロック３０の後部はボディ１０の配線口１４から外部に露出しており、配線口１４から露出する部位には上方に突出する突台３３が左右両側に設けてある。各突台３３には上面側が開放されて左右方向に延びるスリット３４が前後方向に４個ずつ形成されている。そして、各スリット３４の内部には各導電体の他端部に設けた端子片３５が配設されている。各端子片３５は一対の刃の間に上端縁を開放した圧接スリット３５ａを有するフォーク状に形成された圧接形のもので、圧接スリット３５ａの幅は接続する電線の芯線に圧接スリット３５ａの両側縁が圧接する程度に設定されている。
【０００４】
このモジュラジャックに電線を接続する際には、図８に示すようにジャックブロック３０の後側から両突台３３，３３間の溝部３６内に４対８芯のツイストペアケーブル４０の８本の電線４１を挿入し、個々の電線４１を溝部３６から左右両側の突台３３に設けたスリット３４に通して仮保持させた後、インパクトツールなどの工具を用いて電線４１を押し込むと、電線４１の絶縁被覆を圧接スリット３５ａの両側縁で切ることによって、絶縁被覆を剥ぎながら圧接スリット３５ａの中に芯線が導入され、圧接スリット３５ａの両側縁間に芯線が挟持されて、電線４１が端子片３５に電気的且つ機械的に接続されるのである。
【０００５】
また、電線４１を端子片３５に圧接した状態では、電線４１の先端が突台３３の端から外側に突出しているが、電線４１の結線箇所よりも先端の余分な部位は伝送性能に悪影響を与えるため、できるだけ短くするのが望ましく、図９に示すように電線４１の余分な部分をニッパ７０などで切断していた。
【０００６】
【発明が解決しようとする課題】
上述したモジュラジャックでは、突台３３のスリット３４内に配置した端子片３５に電線４１を圧接する際に、スリット３４内に電線４１を挿入することで電線４１を仮保持しているが、スリット３４内に電線４１を挿入するだけでは、圧接用の工具で電線４１を押さえる前に電線４１がスリット３４から外れてしまうことがあり、施工性が悪かった。
【０００７】
また、ボディ本体１３の左右両側面には、ボディ本体１３の強度を確保するために、ジャックブロック３０の突台３３，３３よりも外側に張り出す部分を設けているため、圧接後に電線４１の余分な部位を切断する際にニッパ７０の刃を入れるスペースが十分なく、余分な部位を短く切断する作業がやりにくかったり、複数の電線４１を纏めて切ることができないために切断作業に時間がかかったりして、施工性が悪いという問題もあった。
【０００８】
本発明は上記問題点に鑑みて為されたものであり、請求項１及び請求項２の発明の目的とするところは、施工性を向上させたモジュラジャックを提供することにある。
【０００９】
【課題を解決するための手段】
上記目的を達成するために、請求項１の発明では、埋込型の配線器具用に規格化された取付枠に取着される配線器具の単位寸法の形状に形成されて取付枠に取り付けるための取付部を具備し、モジュラプラグが挿入されるプラグ挿入口が前面に開口するハウジングと、プラグ挿入口を通してハウジング内部に挿入されるモジュラプラグの複数の接触子とそれぞれ接触する複数のコンタクトと、各コンタクトに電気的に接続される複数の端子片とを備え、各端子片は、先端縁が開放されていて被覆電線を圧入することによって絶縁被覆を破って被覆電線の内部導体を挟み込む圧接スリットを有し、ハウジングに、各被覆電線を端子片に圧接する位置に仮保持した状態で各被覆電線の圧接位置よりも先端側の部位を引っ掛けることによって各被覆電線を保持するリブを突設したことを特徴とする。
【００１０】
請求項２の発明では、埋込型の配線器具用に規格化された取付枠に取着される配線器具の単位寸法の形状に形成されて取付枠に取り付けるための取付部を具備し、モジュラプラグが挿入されるプラグ挿入口が前面に開口するハウジングと、ハウジングの内部に配置されプラグ挿入口を通して挿入されるモジュラプラグが着脱自在に接続されるジャックブロックとを備え、ジャックブロックは、プラグ挿入口を通してハウジング内部に挿入されるモジュラプラグの複数の接触子とそれぞれ接触する複数のコンタクトと、各コンタクトに電気的に接続される複数の端子片とを基台に保持して形成され、各端子片は、先端縁が開放されていて被覆電線を圧入することによって絶縁被覆を破って被覆電線の内部導体を挟み込む圧接スリットを有しており、基台に形成され少なくとも一方の端が基台の側面に開口した複数の保持溝に各端子片を配置してあり、各端子片に圧接された被覆電線の圧接部位よりも先端側の余分な部位を工具で切断する作業を行う作業空間内で、基台の側面とハウジングの側面とが略同一平面内に配置されるように基台及びハウジングを形成したことを特徴とする。
【００１１】
【発明の実施の形態】
（実施形態１）
本発明の実施形態１を図１〜図４を参照して説明する。尚、以下に説明する各実施形態では、とくにことわりがなければ、図２（ｂ）の向きにおいて上下左右の方向を規定し、また図２（ｂ）における正面を前面という。したがって、図２（ｃ）における左端は後端となる。
【００１２】
このモジュラジャックＡのハウジングは、前面が開口した合成樹脂成形品のボディ１０と、ボディ１０の前面側に嵌合する合成樹脂成型品のカバー２０とを結合して形成される。ここに、ボディ１０の前面側の左右両側縁にはフランジ１１が突設されており、このフランジ１１には組立孔１２がそれぞれ開口している。一方、カバー２０の左右両側縁からは組立孔１２に挿入される組立爪２１が突設されている。而して、カバー２０の組立爪２１をフランジ１１の組立孔１２に挿入して組立孔１２の周縁に係止させることによって、ボディ１０とカバー２０とが結合されるのである。
【００１３】
ボディ１０には、両フランジ１１より後部で、図２（ａ）の下半分のみ後方に突出してボディ本体１３が形成され、ボディ本体１３の上面とボディ１０の上半分の後面とには、両面により形成される角部に跨がるように配線口１４が開口している。
【００１４】
カバー２０には前面側の中央部に突台２２が形成されており、この突台２２の前面の略中央にはモジュラプラグ（図示せず）を挿入するプラグ挿入口２３が開口し、突台２２の左右両側面には金属製の取付枠に取り付けるための結合孔２４がそれぞれ開口している。また、カバー２０の左右両側縁には、合成樹脂製の取付枠に取り付けるための各一対の結合爪２５が突設されている。ここに、結合孔２４と結合爪２５とで、埋込型の配線器具用に規格化された取付枠に取り付けるための取付部が構成される。
【００１５】
ボディ１０とカバー２０とが嵌合した状態で、突台２２とボディ本体１３とに囲まれる空間には、プラグ挿入口２３を通して挿入されるモジュラプラグが着脱自在に接続される合成樹脂製のジャックブロック３０が収納されている。
【００１６】
ジャックブロック３０の前面には、カバー２０のプラグ挿入口２３を通してモジュラプラグが接続されるプラグ接続部３１が形成されている。ジャックブロック３０は８本の導電体を基台に保持させて形成されており、各導電体の一端部にはプラグ接続部３１の内部に突出する線状のコンタクト３２が形成され、このコンタクト３２がプラグ接続部３１に挿入されるモジュラプラグの接触子と弾接することによって、モジュラジャックＡとモジュラプラグとが電気的に接続される。
【００１７】
また、ジャックブロック３０の後部はボディ１０の配線口１４から外部に露出しており、配線口１４から露出する部位には上方に突出する突台３３が左右両側に設けてある。各突台３３には上面側が開放されて左右方向に延びるスリット（保持溝）３４が前後方向に４個ずつ形成され、各スリット３４の内部には各導電体の他端部に設けた端子片３５が配設されている。すなわち、ジャックブロック３０の後部上面に８本の端子片３５が左右２列に４本ずつ配列されており、さらに各列において隣接する２本の端子片３５は左右方向に位置をずらして配列されている。
【００１８】
各端子片３５は一対の刃の間に上端縁を開放した圧接スリット３５ａを有するフォーク状に形成された圧接形のものであって、圧接スリット３５ａの幅は接続する電線の芯線に圧接スリット３５ａの両側縁が圧接する程度に設定されている。つまり、絶縁被覆を有する電線を圧接スリット３５ａに上方から圧入すると、電線の絶縁被覆を圧接スリット３５ａの両側縁で切ることにより絶縁被覆を剥ぎながら圧接スリット３５ａの中に芯線を導入し、圧接スリット３５ａの両側縁間に芯線を挟持するようになっている。この端子は圧接形のものであり、電線の絶縁被覆を剥く作業が必要なく、圧接スリット３５ａに電線を押し込むだけで結線を行えるが、電線を押し込むのに大きな力が必要であり、ジャックブロック３０のスリット３４内に電線を保持させた状態でインパクトツールと呼ばれる工具を用いて被覆電線を押し込むことにより、電線が端子片３５に結線される。
【００１９】
また、本実施形態ではボディ本体１３の幅寸法を、ジャックブロック３０後部の幅寸法よりも若干大きい寸法に設定しており、ボディ本体１３の左右両側面には、それぞれ側方に突出する電線保持用の平板状のリブ１５，１６を上下に間隔をおいて突設してある。各一対のリブ１５，１６の内、上側のリブ１５は、ボディ本体１３の後端から、最も後側に位置するスリット３４の近傍まで形成されている。また、下側のリブ１６は、ボディ本体１３の後端から、前より２番目のスリット３４の近傍まで形成されている。また、リブ１５，１６の前端縁には電線を通すための溝１５ａ，１６ａがそれぞれ形成されている。
【００２０】
ここで、モジュラジャックＡに電線を接続する際には、ジャックブロック３０の後側から両突台３３，３３間の溝部３６内に４対８芯のツイストペアケーブル４０の８本の電線４１を挿入し、個々の電線４１を溝部３６から左右両側の突台３３に設けたスリット３４に通して仮保持させる。そして、後側の２個のスリット３４に挿入された２本の電線４１を、突台３３の端から外側に突出する先端を下側に曲げて上側のリブ１５の溝１５ａ内に通し、さらにその先端を後側に曲げることでリブ１５に引っ掛けて保持させる。また、前側の２個のスリット３４に挿入された２本の電線４１を、突台３３の端から外側に突出する先端を下側に曲げて下側のリブ１６の溝１６ａ内に通し、さらにその先端を後側に曲げることでリブ１６に引っ掛けて保持させる（図３参照）。このように、８本の電線４１を突台３３のスリット３４内に配列し、各々の電線４１の先端をリブ１５，１６に引っ掛けて仮保持させた後、インパクトツールなどの工具を用いて電線４１を押し込むと、電線４１の絶縁被覆を圧接スリット３５ａの両側縁で切ることによって、絶縁被覆を剥ぎながら圧接スリット３５ａの中に芯線が導入され、圧接スリット３５ａの両側縁間に芯線が挟持されて、電線４１が端子片３５に電気的且つ機械的に接続される。
【００２１】
上述のように本実施形態ではボディ本体１３の左右両側面に電線保持用のリブ１５，１６を突設してあり、電線を圧接する際に各スリット３４内に配列した電線４１の先端をリブ１５，１６に引っ掛けて保持させているので、電線を確実に保持させておくことができ、スリット３４内に配列された電線を圧接用の工具で押し込む前に電線が外れることがないから、施工性が向上する。
【００２２】
ところで、上述したモジュラジャックは、図４に示すような規格化された取付枠５０に結合される。この取付枠５０は、ＪＩＳ規格や日本配線器具工業会規格において、スイッチボックスを用いて取付面に埋め込んだ形で取り付けられる埋込型の配線器具用に規格化されている大角形３個用のものである。すなわち、モジュラジャックＡのハウジングは規格化されている取付枠に取着できる配線器具の単位寸法と同等の形状・寸法を有している。この取付枠５０は、開口窓５１を囲む両側辺５２ａ，５２ｂに上記結合爪２５が係合する保持孔５３を有し、一方の側片５２ａには他方の側片５２ｂとの距離を変えるように撓むことができる撓み片５４が形成される。取付枠５０にケースを取り付けるときには、取付枠５０の後方からケースを押しつけるようにすれば、撓み片５４が撓んでケースを取付枠５０に嵌着でき、このとき、突台２２が開口窓５１から突出する。一方、取付枠５０からケースを取り外すには、撓み片５４をドライバ等でこじればよい。
【００２３】
尚、開口窓５１を囲み側片５２ａ，５２ｂと直交する連結片５５ａ，５５ｂには、スイッチボックスに取付枠５０を結合するためのボックスねじ５８を挿入する長孔５６や取付枠５０の前面を覆う化粧プレート６０を取り付けるプレートねじ６３が螺合するねじ孔５７などが設けられる。図示した取付枠は合成樹脂製の取付枠５０であるが、金属製の取付枠の場合には、カバー２０の突台２２の側面に開口した結合孔２４を用いて取付枠に結合すればよい。化粧プレート６０には、ハウジングの突台２２を露出させる窓孔６１と、プレートねじ６３を挿通する挿通孔６２が穿孔される。
【００２４】
（実施形態２）
本発明の実施形態２を図５〜図６を参照して説明する。本実施形態では、実施形態１のモジュラジャックにおいて、ボディ本体１３後部の左右両側面にジャックブロック３０の両側面を露出させる開口１７を設けて、ボディ本体１３後部の形状を断面Ｌ形とし、後部の幅寸法をジャックブロック３０の幅寸法と略同じ幅寸法に形成している。尚、ボディ本体１３以外は実施形態１と同様であるので、同一の構成要素には同一の符号を付して、その説明は省略する。
【００２５】
上述のように本実施形態ではボディ本体１３後部の幅をジャックブロック３０の幅と略同じ幅に形成してあり、電線４１の切断作業を行う作業空間（突台３３の外側面に面し、ニッパ７０などの切断工具を差し込むための空間）内で、ジャックブロック３０の側面とハウジングの側面とが同一平面内に配置されるようにジャックブロックの基台及びハウジングを形成しているので、上記作業空間内でジャックブロック３０の突台３３，３３の外側面よりも外側に張り出している部分がない。したがって圧接後に各電線４１の圧接部位よりも先端側の余分な部位をニッパ７０で切断する際に、ニッパ７０の刃を入れるのに障害になるものがなく、余分な部位を短く切断する作業が容易に行え、作業性が向上する。
【００２６】
ところで、従来のモジュラジャックではボディ本体１３の後部に左右両側へ張り出す部分を設け、この部分でボディ本体１３の強度を確保しているのに対して、本実施形態では上記作業空間内でニッパ７０の刃を入れるのに障害となるものを無くすために、ボディ本体１３後部の左右両側面に開口１７を設けて、左右両側部の張出部をなくしているため、ボディ本体１３の強度が低下するが、ボディ本体１３の底面に補強用のリブ（図示せず）を立設することで、ボディ本体１３の強度を確保しつつ、切断作業の作業性を高めている。
【００２７】
また、本実施形態では上記作業空間内でジャックブロック３０の側面とハウジングの側面（ボディ本体１３後部の側面）とが同一平面内に配置されるようにジャックブロック３０の基台及びハウジングを形成しているが、ジャックブロック３０の側面とハウジングの側面とが略同一平面内に配置されるようにすれば良い。すなわち、切断作業の邪魔にならないのであれば、ジャックブロック３０の側面よりもハウジングの側面を多少出っ張らせても良いし、またボディ本体１３の強度が確保できるのであれば、ジャックブロック３０の側面よりもハウジングの側面を多少後退させても良い。
【００２８】
尚、本発明は上記の各実施形態に限定される趣旨のものではなく、本発明の技術思想の範囲内において、適宜変更されることは言うまでもない。
【００２９】
【発明の効果】
上述のように、請求項１の発明は、埋込型の配線器具用に規格化された取付枠に取着される配線器具の単位寸法の形状に形成されて取付枠に取り付けるための取付部を具備し、モジュラプラグが挿入されるプラグ挿入口が前面に開口するハウジングと、プラグ挿入口を通してハウジング内部に挿入されるモジュラプラグの複数の接触子とそれぞれ接触する複数のコンタクトと、各コンタクトに電気的に接続される複数の端子片とを備え、各端子片は、先端縁が開放されていて被覆電線を圧入することによって絶縁被覆を破って被覆電線の内部導体を挟み込む圧接スリットを有し、ハウジングに、各被覆電線を端子片に圧接する位置に仮保持した状態で各被覆電線の圧接位置よりも先端側の部位を引っ掛けることによって各被覆電線を保持するリブを突設したことを特徴とし、被覆電線を端子片に圧接する位置に仮保持した状態で、被覆電線の圧接位置よりも先端側の部位をリブに引っ掛けることで、被覆電線を確実に保持できるから、仮保持された被覆電線を圧接用の工具で押し込む前に電線が外れるのを防止して、施工性を向上させることができるという効果がある。
【００３０】
請求項２の発明は、埋込型の配線器具用に規格化された取付枠に取着される配線器具の単位寸法の形状に形成されて取付枠に取り付けるための取付部を具備し、モジュラプラグが挿入されるプラグ挿入口が前面に開口するハウジングと、ハウジングの内部に配置されプラグ挿入口を通して挿入されるモジュラプラグが着脱自在に接続されるジャックブロックとを備え、ジャックブロックは、プラグ挿入口を通してハウジング内部に挿入されるモジュラプラグの複数の接触子とそれぞれ接触する複数のコンタクトと、各コンタクトに電気的に接続される複数の端子片とを基台に保持して形成され、各端子片は、先端縁が開放されていて被覆電線を圧入することによって絶縁被覆を破って被覆電線の内部導体を挟み込む圧接スリットを有しており、基台に形成され少なくとも一方の端が基台の側面に開口した複数の保持溝に各端子片を配置してあり、各端子片に圧接された被覆電線の圧接部位よりも先端側の余分な部位を工具で切断する作業を行う作業空間内で、基台の側面とハウジングの側面とが略同一平面内に配置されるように基台及びハウジングを形成したことを特徴とし、作業空間において基台の側面とハウジングの側面とが略同一平面となるように基台及びハウジングを形成しているので、各端子片に圧接された被覆電線の圧接部位よりも先端側の余分な部位を工具で切断する際に、工具を近づけるのに障害となる出っ張り部分がなく、被覆電線の余分な部位を容易に切断することができ、施工性が向上するという効果がある。
【図面の簡単な説明】
【図１】実施形態１のモジュラジャックを後側から見た外観斜視図である。
【図２】同上を示し、（ａ）は側面図、（ｂ）は正面図、（ｃ）は上面図である。
【図３】同上に電線を仮保持させた状態を後側から見た外観斜視図である。
【図４】同上の取付枠への取り付けを説明する分解斜視図である。
【図５】実施形態２のモジュラジャックを後側から見た外観斜視図である。
【図６】同上に電線を結線した後に、電線の余分な部分を切断する作業を説明する説明図である。
【図７】従来のモジュラジャックを示し、（ａ）は側面図、（ｂ）は正面図、（ｃ）は上面図である。
【図８】同上に電線を仮保持させた状態を後側から見た外観斜視図である。
【図９】同上に電線を結線した後に、電線の余分な部分を切断する作業を説明する説明図である。
【符号の説明】
Ａ　　モジュラジャック
１０　ボディ
１３　ボディ本体
１４　配線口
１５，１６　リブ
１５ａ，１６ａ　溝
２０　カバー
３０　ジャックブロック
３３　突台
３４　スリット
【図１】
2004055303.tif 000003
【図２】
2004055303.tif 000004
【図３】
2004055303.tif 000005
【図４】
2004055303.tif 000006
【図５】
2004055303.tif 000007
【図６】
2004055303.tif 000008
【図７】
2004055303.tif 000009
【図８】
2004055303.tif 000010
【図９】
2004055303.tif 000011